(57)【要約】      （修正有）【課題】生体試料の固定・脱水・脱脂・透徹・包埋剤浸透等の薬液処理から包埋・薄切工程で該試料の大きさや形状に影響を受けない薬液処理籠と該試料の完全バリ無し包埋方法とそれら薄切用包埋ブロック試料の試料データ記憶メディアの完全な印刷・設置方法を含む新標本作製システムを得る。【解決手段】薬液処理籠で包埋皿状器具機能を兼用して逆に薄切用包埋ブロック支持基台を独立した器具として機能させる標本作製システムを作製して、薄切用包埋ブロック支持基台を生物試料の薬液処理籠機能から解放する。これにより、該生物試料の大きさや形状に影響を受けないで薄くまたは従来の厚さのカセット状基台の形状や箱形やリング状形状との形状選択を自由にして且つ薬液への浸漬の絶対的必要性からも解放されるので、包埋ブロック試料の作製時の完全なバリの発生は無く、試料データ記憶メディアの印刷と設置の作業時間が十分にとれる。【選択図】図１
2008026097.tif 000002
【特許請求の範囲】
【請求項１】
上側と下側とに開口部を有する、筒状の包埋枠状基体を備えた包埋枠状基体籠であって；
前記包埋枠状基体の上側及び下側の開口部に脱着自在に籠蓋部を設けることにより薬液処理籠が形成され、又、
前記包埋枠基体の下側開口部を底板で密封することにより包埋器具が形成され、その上側開口部に薄切用ブロック支持基台が装着されることを特徴とする包埋枠状基体籠。
【請求項２】
前記薄切用ブロック支持基台が、ブロック支持基台代用の籠蓋部であり、前記底板が、金属製平板又は包埋皿であることを特徴とする請求項１記載の包埋枠状基体籠。
【請求項３】
上側と下側とに開口部を形成し、その開口部に多孔または多数の通液孔を形成した籠蓋部が脱着可能に形成された試料収納移送と脱水・脱脂・透徹・包埋剤浸透等の薬液処理籠と包埋器具のパーツである外枠の機能を兼任する包埋枠状基体籠。
【請求項４】
上側と下側とに開口部を形成し、その開口部に多孔または多数の通液孔を形成した籠蓋部が脱着可能に形成された空間内部に生物試料を収納して、該試料を収納した枠状基体籠ごと脱水・脱脂・透徹・包埋剤浸透等の薬液処理を実施できる該枠状基体籠において、上側開口部に別途用意されている薄切用ブロック支持基台を載せ嵌合することができる請求項３記載の包埋枠状基体籠。
【請求項５】
上側と下側とに開口部を形成し、その開口部に多孔または多数の通液孔を形成した籠蓋部が脱着可能に形成され、生物試料を収納して脱水・脱脂・透徹・包埋剤浸透等の薬液処理を実施した枠状基体籠の上下開口部の籠蓋部を取り外して籠蓋部の無い枠状基体下側開口底部をステンレス等の熱伝導性の良い金属性平板または皿状器具上に載せて、前記枠状基体底部外周囲に付着しているパラフィン等包埋剤の冷却固化により形成される包埋皿状器具としても兼用することができる請求項３、または、４記載の包埋枠状基体籠。
【請求項６】
上側と下側とに開口部を形成し、その開口部に多孔または多数の通液孔を形成した籠蓋部が脱着可能に形成され、生物試料を収納して脱水・脱脂・透徹・包埋剤浸透等の薬液処理を実施した枠状基体籠の上下開口部の籠蓋部を取り外して籠蓋部の無い枠状基体下側開口底部をステンレス等の熱伝導性の良い金属性平板または皿状器具上に載せて、前記枠状基体底部外周囲に付着しているパラフィン等包埋剤の冷却固化により形成される包埋皿状器具の開口上部から底部に前記生物試料を移し替えてパラフィン等包埋剤を注入補充して、別途用意されている薄切用ブロック支持基台を載せ嵌合して前記パラフィン等包埋剤で試料と基台とをパラフィン等包埋剤で一体状に固化固定できる試料の薬液処理籠と包埋皿状器具の外枠基部として兼用できる請求項３、４、又は、５記載の包埋枠状基体籠。
【請求項７】
前記薄切用ブロック支持台、又は、薄切用ブロック支持台代用の籠蓋部は、データ記録手段を備えていることを特徴とする請求項２記載の包埋枠状基体籠。
【請求項８】
データ記録手段が、生物試料を収納して脱水・脱脂・透徹・包埋剤浸透等の薬液処理を実施している前記枠状基体籠の籠蓋部に兼用されるか、または、別途用意されている薄切用ブロック支持基台の所定のデータ記録部に、レーザー光線で前記薄切用ブロック支持基台の所定のデータ記録部を彫り込み生体試料の属性や試料番号やバーコードや二次元データコード等のデータ記憶メディアを確実に記載するために、該薄切用ブロック支持基台のデータ記録部部分のみか、或いは、該支持基台の全表面をレーザー彫り込み焼き付け印刷機機能部で彫り込まれる塗布或いはメッキ加工やアルミ箔被覆蒸着加工等の表面被覆部材とその下側の彫り込み凝着発現部材との二層構造に成形し、彫り込まれた部分のバーコードや二次元データコード等のデータ記憶メディアや文字が確実に浮かび上がり明記できる構造に形成されていることを特徴とする請求項７記載の包埋枠状基体籠。
【請求項９】
上側と下側とに開口部を形成し、その開口部に多孔または多数の通液孔を形成した籠蓋部が脱着可能に形成され、生物試料を収納して脱水・脱脂・透徹・包埋剤浸透等の薬液処理を実施した枠状基体籠の上下開口部の籠蓋部を取り外して籠蓋部の無い枠状基体下側開口底部をステンレス等の熱伝導性の良い金属性平板または皿状器具上に載せた包埋皿状器具の収納底部に枠状基体籠下側開口部の籠蓋部の上に載っている生物試料を移し替えてパラフィン等包埋剤内に包み埋設して、前記包埋皿状器具の形状機能を構成する前記枠状基体の上側開口部に載せ嵌合した薄切用ブロック支持基台と一体的に固化固定する包埋方法。
【請求項１０】
上側と下側とに開口部を形成し、その開口部に多孔または多数の通液孔を形成した籠蓋部が脱着可能に形成され、生物試料を収納して脱水・脱脂・透徹・包埋剤浸透等の薬液処理を実施した枠状基体籠の上下開口部の籠蓋部を取り外して籠蓋部の無い枠状基体下側開口底部をステンレス等の熱伝導性の良い金属性平板または皿状器具上に載せた包埋皿状器具の収納底部に枠状基体籠下側開口部の籠蓋部の上に載っている生物試料を移し替えてパラフィン等包埋剤内に包み埋設して、前記包埋皿状器具の形状機能を構成する前記枠状基体の上側開口部に載せ嵌合した薄切用ブロック支持基台の薄切時に邪魔にならない所定の箇所に、試料の属性や試料番号やバーコードや二次元データコード等の紙状ラベルに印字印刷可能なデータ記憶メディアをパラフィン等包埋剤の凝固接着力で一体的に固化固定して試料の混入・紛失を防止してその属性や試料データを確実に照合確認できる請求項９記載の包埋方法。
【請求項１１】
上側と下側とに開口部を形成し、その開口部に多孔または多数の通液孔を形成した籠蓋部が脱着可能に形成され、生物試料を収納して脱水・脱脂・透徹・包埋剤浸透等の薬液処理を実施した枠状基体籠の上下開口部の籠蓋部を取り外して籠蓋部の無い枠状基体下側開口底部をステンレス等の熱伝導性の良い金属性平板または皿状器具上に載せた包埋皿状器具の収納底部に枠状基体籠下側開口部の籠蓋部の上に載っている生物試料を移し替えてパラフィン等包埋剤内に包み埋設して、前記包埋皿状器具の形状機能を構成する前記枠状基体の上側開口部に載せ嵌合する薄切用ブロック支持基台において、前記生物試料の薬液処理工程の間に該薄切用ブロック支持基台のデータ記録部に、該試料の属性や試料番号やバーコードや二次元データコード等の印字印刷をし、また、薬液に浸漬されない前記薄切用ブロック支持基台に、ＩＣタグ等の水や酸や有機溶媒等に弱いデータ記憶メディアを、各薄切用ブロック支持基台の包埋作業終了の時点で該薄切用ブロック支持基台の収納部に接着収納し、無線ＩＣタグとも一体的に固化固定する請求項９、または１０記載の包埋方法。
【請求項１２】
上側と下側とに開口部を形成し、その下側開口部に多孔または多数の通液孔を形成した籠蓋部が脱着可能に形成され、上側開口部には予め開口部に載せ嵌合する多孔または多数の通液孔を有する底部を形成した薄切用ブロック支持基台を載せ嵌合しておき、その形成された空間内部に生物試料を収納して脱水・脱脂・透徹・包埋剤浸透等の薬液処理を実施した枠状基体籠の下側開口部の籠蓋部を取り外して枠状基体籠下側開口部の籠蓋部の上に載っている生物試料をステンレス等の熱伝導性の良い金属性皿状器具上に移し替えて、前記下側開口部の籠蓋部を取り外した枠状基体を前記金属性皿状器具上に載せて包埋皿状器具の収納底部を形成して籠蓋部の無い枠状基体下側開口底部の生物試料をパラフィン等包埋剤内に包み埋設して、前記包埋皿状器具の形状機能を構成する前記枠状基体の上側開口部に載せ嵌合してある薄切用ブロック支持基台と前記生物試料とを一体的に固化固定する請求項９、または、１０記載の包埋方法。
【請求項１３】
請求項１記載の包埋枠状基体籠を用いた包埋方法であって：
包埋枠状基体の上側及び下側の開口部に籠蓋部を装着して薬液処理籠を形成するとともに、該薬液処理籠に生物試料を収納する行程と、
前記薬液処理籠を薬液に浸漬して薬液処理をする行程と、
前記薬液処理籠の上側及び下側の籠蓋部を外し、前記包埋枠状基体の下側開口部を底板で密封して包埋器具を形成する行程と、
該包埋器具の底板に前記薬液処理済の生物試料を載置し、その上側開口部に薄切用ブロック支持基台を装着する行程と、
を備えていることを特徴とする包埋方法。
【発明の詳細な説明】
【技術分野】
【０００１】
この発明は、医師や生命科学者が病気の診断や治療を決める為、または生命の研究ために、患者や生命体から採取した生物試料を薄切染色標本にして、それを医療または研究のデータとして役立てる為に病理組織試料の管理システムの中で用いる、包埋枠状基体籠及びそれを用いた包埋方法に関する。
【背景技術】
【０００２】
従来のどのメーカーのカセットシステムもマイルス社（米国法人）が最初に提案してリングまたはフレームカセットから発展させた標本処理容器装置と包埋方法からの大きな発展はない。その新しい兆候は、本件発明者が提案しているバリ無し包埋皿とその方法（特許文献１、２参照）ぐらいで、その他はマイルス社の標本作製・包埋方法と器具を模倣したものにすぎない。
それは、従来のカセットシステムでは、所謂カセット基体（標本処理容器）はカセット薬液処理籠と薄切用ブロック基台の二役を兼任し、包埋ブロック作製時には薬液処理に用いた薬液処理籠に使用したカセット基体を基台として使用されるが、包埋皿は予め独自に用意した器具として提案されている。
【０００３】
故に、生物試料のスライド標本を作製するためには、所謂カセット基体（標本処理容器）に試料番号等データ記載又は印字してその容器内に該生物試料を収納し、該カセット基体ごと脱水・脱脂・透徹・包埋剤浸透の薬液処理を実施する。故にこのマイルス型のカセットシステムの本格的使用開始時は試料の切り出しトリミング開始時からで、患者試料の採取・移送時には他の容器を用いるかマイルス型のカセットシステムを使用する場合には、ホルマリン等で汚染された所謂カセットを改めて洗い拭いてからデータ記載して使用するかそのカセット容器を廃棄して改めて新しいカセットに入れ替えて使用しており本格的な使用はできていない。
【０００４】
また、該カセット基体の内部に収納された生物試料は、脱水・脱脂・透徹・包埋剤浸透等の薬液処理を施されて包埋皿の底部に移し替えられ、その上から前記カセット基体を該包埋皿の開口部から所定の箇所に設置して該カセット基体を薄切用ブロック支持基台として生物試料をブロック試料として一体的に包埋する。
【０００５】
その後、前記ブロック試料は、前記基台を薄切用ミクロトーム用カセットアダプターに固定して薄切し、データ転写・伸展・乾燥貼り付け・染色・封入等の作業工程後顕微鏡判定や診断に供する。
【０００６】
【特許文献１】特開平２００２−３０３５６８公報
【特許文献２】特開平２００４−１２５６３１公報
【発明の開示】
【発明が解決しようとする課題】
【０００７】
従来の技術は、上述の通りであるので、該カセット基体は収納する生物試料の大きさや量によってその容器としての役目柄、大きさや形状も影響されて制限を受ける。その為にブロック試料の大きさを画一化して統一的にするのは合理的であるが、脱水・脱脂・透徹・包埋剤浸透等の薬液処理に適当な生物試料の厚さの上限５mmをも収納できる形状ようにするために、またスライドグラスのスタンダードタイプの広さが大体２６．５mm×７６．５mmであり、従来の前記プラスチック製のカセット基体の大きさは素材強度の面からも制限されて大体内法 ３１×２６×５mm、外法４０×２８×６mm 程度になり、その上に生物試料を埋設した包埋剤が５から６mm の厚さが加わるので、最終的なブロック試料の大きさは４０×２８×１１〜１２mm以上 にはなる。この薄切後大事な生命・遺伝子情報試料であるブロック試料の保管管理の為には、ブロック基台部の厚さをより薄くしてその保管スペースの省スペース化を図らなければならない。
【０００８】
また、ブロック試料とその生物体例えば既往歴等患者情報との照合やそれら画像の含めたデータ等との関連づけや標本作製の自動化や保管管理システムの構築には、データ記憶メディアの導入は必須なものである。
【０００９】
しかし、従来のカセットシステムの該カセット基体は、該生物試料の薬液処理開始時から処理籠としての役目を兼ねている都合上切り出し時から使用するので、この時点にはこの該生物試料の試料データや試料番号等をデータ記録部に印字印刷を済ましておかなくてはならないし、それ以前には確実なデータ記載が不可能である。しかし、切り出し時の現場でデータ記載部に試料番号やバーコード等の試料データを記載または印字・印刷するには時間的に無理があり、また大きな病理学的検査室や研究室でない限りバーコードや二次元データコード等の印字機を導入することは予算的に無理である。
【００１０】
更に、該カセット基体は、該生物試料と一緒に薬液処理槽を通るので、その周囲に印字印刷された試料データやデータ記録部も薬液に浸漬されて影響を受ける。特に現在のＩＣタグはプラスチック等の内部に予め埋め込む様に成形しておかないと、ホルマリン等固定液や水やアルコールやキシレンやクロロホルムや酸やパラフィン等包埋剤に浸漬されるとＩＣ回路が破壊される可能性が高い。
【００１１】
更にまた、従来のカセットプリンターでは、そのインクや印字方法の精度にもよるが、包埋剤に浸漬された前記カセット基体の印字文字が不明瞭になり読み難くかったりバーコード等のデータ記憶メディアのリーダーでの読み込みが困難だったりしている。
【００１２】
この発明は、上記事情に鑑み、ブロック支持基台の厚さを薄くしてその保管スペースの省スペース化を図ることを目的とする。
この発明の他の目的は、前記ブロック支持基台に余裕をもってデータを記録するとともに、該記録が不明瞭にならないようにすることである。
更に他の目的は、通常、薬液処理籠（枠状基体籠）と包埋皿状器具の二役を兼ねた包埋枠状基体籠と多孔籠蓋部と包埋皿状器具の三機能二器具一パーツからなるが、薄切ブロック用支持基台の形状機能を包埋枠状基体籠の多孔籠蓋部の形状機能と兼ね備えることにより、その機能形状を三機能一器具一パーツとにし、器具のコストを下げて作業性を向上させることである。
【課題を解決するための手段】
【００１３】
この発明は、所謂包埋枠状基体籠を薬液処理籠（枠状基体籠）と包埋作業時に使用される包埋皿状器具としての二役の兼任を提案しており、逆に包埋作業時に使用される薄切用ブロック支持基台を予め独自に用意することを提案している。
【００１４】
また、この発明は、所謂包埋枠状基体籠を薬液処理籠（枠状基体籠）と包埋作業時に使用される包埋皿状器具としての二役の兼任を提案しており、更に包埋作業時に使用される薄切用ブロック支持基台を前記包埋枠状基体籠の上側開口部の籠蓋部を兼任できる形状にすることも提案している。
【００１５】
即ち、従来のマイルス社が初めて発表した標本処理容器（カセット基体）が薬液処理籠と薄切用ブロック支持基台の二役を兼ねて包埋皿が別途独立した器具として存在しているのではなくて、標本処理容器（包埋枠状基体籠）が薬液処理籠と包埋皿状器具の二役を兼ねて薄切用ブロック支持基台が別途独立した新しい器具として存在しているのである。
【００１６】
このシステムであると、従来の生物標本作製工程及びデータ試料の保管管理作業が機能的に大きく変化してデータ試料の管理検索のユビキタス化、作業工程の自動化、データ試料の保管管理の省スペース化が進むのである。
【００１７】
それはこの発明は、従来のカセットシステムでの標本処理容器（カセット基体）を、生物試料を収納して薬液処理する、薬液処理籠としては使用しないで、その役目は別途用意された枠状基体籠で実施されるので、脱水・脱脂・透徹・包埋剤浸透の薬液処理される生物試料の大きさや量に薄切ブロック基台の大きさが影響を受けないので、その基台の大きさは目的や必要性に因って薄くまたは大きくと例えば板状・ブロック状・従来のカセット形状或いは箱状またはリングやフレームカセット状とその大きさや形状を自由に選択する事が出来るからである。
【００１８】
またその上に、薄切用ブロック支持基台を薬液処理籠の役目から機能的に独立した器具として使用した場合には、該薄切用ブロック支持基台は作業工程の中で固定液・水・酸やアルコール・キシレン・クロロホルム等の有機溶媒に浸漬されないので、それら薬液からの浸襲や影響を受けないし、生物試料の薬液処理に掛かる時間を該薄切用ブロック支持基台に試料番号やデータ記憶メディアを印字・印刷する時間に使用することが出来るのである。
【００１９】
その事は、切り出し開始時には従来のカセットシステムでは標本処理容器（カセット基体）が必要で、切り出し介助者が手書きでカセット基体のデータ記録部に試料番号やその枝番号等を記載するかまたは切り出し室に高価なバーコード印字機等の設置をするか、前もって乱数をバーコード等でカセット基体のデータ記録部に印字しておき後日それら各乱数バーコードを各試料データと関連づけるかの作業が必要であったが、この発明では切り出し開始時に必要な標本処理容器は薬液処理籠である包埋枠状基体籠であり薄切用ブロック支持基台は必要としないので、前記ブロック基台への試料番号・枝番号等とバーコードや二次元データコード等のデータ記憶メディア等の印字・印刷の時間が充分とれるので、これらの印字機を別の部屋や施設で纏めてすることも可能になる。
【００２０】
この時の薄切用ブロック支持基台のデータ記録部への試料番号やバーコードや二次元データコード等のデータ記憶メディアや文字を印字印刷する場合従来のプリンターを用いずにレーザー光線で薄切用ブロック支持基台のデータ記録部を目的の文字やバーコード等データ記憶メディアを彫り込むと良い。この時、前記薄切用ブロック支持基台のデータ記録部を目的の文字やバーコード等データ記憶メディアを明確に確実に表現するためには、彫り込まれ削り込まれるブロック支持基台表面被覆蒸着部材と彫り込まれた部位に文字や記号として浮かび上がるブロック支持基台彫り込み凝着発現部材の色違いの二重の合成樹脂または塗布或いはメッキ加工またはアルミ薄等の蒸着剤の重なり被覆構造が、上記レーザー光線の照射によって凝着・発色彫り込まれる印字印刷法が良いと思われる。
【００２１】
また、この時試料番号やバーコードを安価なプリンターで小型ラベルまた用紙片に印字するか、または試料番号を手書きして薬液処理籠内の生物試料の上に載せておけば、生物試料の包埋作業時に別途用意された所定の薄切用ブロック支持基台の多孔底部上に試料データ印字ラベルを移し替えて、そのブロック支持基台と小型ラベル用紙片（試料データ印字ラベル）のデータを照合して、その該薄切用ブロック支持基台と一緒に前記生物試料を包埋剤で一体的に包埋すれば生物試料とその属性等試料データとの入れ間違いは絶対に起こらないことは必至のことである。
【００２２】
この発明のもう一つの目的は、この薄切用ブロック支持基台の機能部分が薬液処理籠であり包埋皿状器具である包埋枠状基体籠の開口部の形状と大きさに一致していれば、従来のカセット形状或いは箱状またはリングやフレームカセット状や或いは薄い板状・ブロック状の薄切用ブロック支持基台を用いても包埋作業ができる。
【００２３】
また更に、前記段落番号「００１４」に記載のように、薄切用ブロック支持基台を前記包埋枠状基体籠の上側開口部の籠蓋部と兼用できる形状に成形すると、該包埋枠状基体籠の下側開口部の籠蓋部を外してホットプレート上の皿状器具底部に少量の熔融パラフィンを注入して薬液処理された該包埋枠状基体籠内に収納されていた生物試料を移し替えて薄切面を軽く皿状器具底部に押さえつけて後に前記包埋枠状基体籠の籠蓋部の外れた下側開口部を下に向けて該生物試料を中側中心部に入れた形で前記皿状器具底部に載せて前記薄切用ブロック支持基台の嵌合している上側開口部から熔融パラフィンを該薄切用ブロック支持基台の多孔底部が完全に浸かる熔融パラフィン水位まで注入してから皿状器具ごとパラフィンが充填された包埋皿状器具を該コールドプレート上に移して、熔融パラフィンを冷却固化させて生物試料を薄切用ブロック支持基台と一体的に包埋できる。
【発明の効果】
【００２４】
前記マイルス社が初めて提案した従来の標本処理容器装置と包埋方法による所謂カセットシステムでは、そのカセット基体が標本試料薬液処理容器と薄切用包埋ブロック支持基台の二役を兼ねており、包埋皿が独立した器具容器装置として存在していたシステムであった。それに対して、本件発明は、前述のように構成したので、
（１）薄切用包埋ブロック支持基台は単独の独立した機能器具で、生物試料の薬液処理籠と包埋皿状器具の二役を包埋枠状基体籠が兼任するか、
（２）逆に、薄切用多孔底面包埋ブロック支持基台が生物試料の脱水・脱脂・透徹・包埋剤浸透等の薬液処理籠の籠蓋部の役目を兼任して、該包埋ブロック支持基台多孔蓋付き包埋枠状基体籠自体の各パーツが、薬液処理機能とその内部に収納した試料の包埋皿状器具機能と薄切用ブロック支持基台機能の３機能果たす様に合体している。
【００２５】
故に前記（１）の場合には、薄切用包埋ブロック支持基台は、一切生物試料の薬液処理時には関与しない。そのため、脱水・脱脂・透徹・包埋剤浸透等の薬液処理終了後の包埋時以降から、必要な包埋ブロック支持基台器具として役目を果たすので、生物試料の切り出し、トリミング時からそれら試料の固定以降の薬液処理完了までの時間は、この薄切用ブロック支持基台に対応する試料データ等の試料番号やバーコードや二次元データコードや磁気やＩＣタグ等のデータ記憶メディアの印刷や書き込み等の処理時間に掛けることが出来る。
【００２６】
また、この包埋ブロック支持基台器具のみとしての機能で良いので、支持基台自身の形状や厚さやその底面の通液孔の大きさを作業現場の都合によって自由に選択することができる。このブロック試料は、そのブロック支持基台自身が薬液に浸漬されていないので、バリは完全に付かず、また、どんな試料データ記憶媒体や記録部も汚染されたり、薬液や高温で破壊されたりしないのである。
【００２７】
また、前記（２）の場合には前記薄切用多孔底面包埋ブロック支持基台が生物試料の脱水・脱脂・透徹・包埋剤浸透等の薬液処理籠の籠蓋部の役目を兼任して、該包埋ブロック支持基台多孔蓋付き包埋枠状基体籠自体の各パーツが薬液処理機能とその内部に収納した試料の包埋皿状器具機能と薄切用ブロック支持基台機能の３機能果たす様に合体している。そのため、生体試料の薬液処理終了後に包埋枠状基体籠の下側開口部に装着した籠蓋部を取り外し、その中から薬液処理され包埋する生物試料を取り出し、別途用意されている皿状器具に少量のパラフィン包埋剤を注入してからその底部に前記生物試料の薄切検査面を下にして移し替え、軽くコールドプレート上で押さえて、その生物試料上の試料番号等データ記録紙を前記包埋枠状基体の上側に籠蓋部として嵌合している薄切用多孔底面ブロック支持基台の開口部から多孔底部上に載せ替え、生物試料の上部から前記包埋枠状基体の下側開口部を被せる様に設置して包埋皿状器具を構築し、その上からパラフィン包埋剤を注入追加してコールドプレート上に移し替えて包埋作業を完了した後、ブロック試料を取り外すと、完全な薄いバリ無し包埋ブロック試料が完成するので、薄切することができる。
【００２８】
また、前記（１）の包埋ブロックの薄切用ブロック支持基台は、本来は生物試料の薬液処理工程では使用されないし、前記（２）の該包埋ブロック支持基台多孔蓋付き包埋枠状基体籠として使用された薄切用ブロック支持基台は、包埋作業時には完全に包埋皿状器具機能を持つ該包埋枠状基体に籠蓋部として嵌合して該包埋枠状基体の内周面と該薄切用ブロック支持基台、または、多孔支持底板の外周面等が水密構造になっており、これらの包埋システム工程から作製成形された該薄切用ブロック支持基台には、バリは一切付かないのである。
【００２９】
更にまた、上記のことから該薄切用ブロック支持基台の中の構造内部には、生体試料を入れないので、支持基台自身の形状や厚さやその底面の通液孔の大きさは、標本作製現場の都合に合わせ、従来の形状から新しい板状形状まで種々選択でき、試料データ保管の省スペース化や標本作製の自動化やトラブル防止にも貢献する。
【００３０】
更にまた、試料の脱水等の薬液処理工程や包埋工程の統一と同時に、その該薄切用ブロック支持基台の厚さや大きさをも薄く画一化が出来るので、自動薄切時の前記薄切用ブロック支持基台の固定やブロック試料の出し入れも容易になるし、ＩＣタグを該薄切用ブロック支持基台の成形する時点で埋め込んでおき、後からデータを書き込むことも可能である。
【００３１】
更に、該薄切用ブロック支持基台にインクで印字印刷するプリンターではなく、該薄切用ブロック支持基台自体のデータ記録部をブロック支持基台彫り込み凝着発現部材とそれを覆う表面被覆蒸着部材の二層構造に成形しておき、その面をレーザーで彫り込み焼き付けてブロック支持基台を彫り込み、凝着発現部材を露出させて試料番号やバーコード等データ記憶メディアを書き込んでいるので、上記のインクプリンターの様に印字データが有機溶媒やパラフィン包埋剤に溶解や消失をしないのである。
【００３２】
更にまた、所謂包埋枠状基体籠が薄切用ブロック支持基台の役目を兼ねていないか、兼ねている場合には薄い多孔籠蓋部の役目であり、上記包埋枠状基体籠の中には試料番号等データ記録紙を入れているので、臨床側での患者試料採取時からの使用が可能であり、その患者番号データ等の記録紙を前記包埋枠状基体籠内に患者採取試料と一緒に収納することもできるので、試料の取り間違いを防止して生じた場合にはその責任の所在が明らかになることは確実となる。即ち、本発明のシステムの合理的使用適用範囲は患者試料採取時から薄切完了時までと従来のカセットシステムより大きく拡大されたことになる。
【００３３】
更にまた、前記包埋枠状基体籠を金属製等の再生再利用製品として製造すれば、該薄切用ブロック支持基台以外は、前記包埋枠状基体籠の籠蓋部も含めて再利用ができて大幅なコストの削減になる。
【発明を実施するための最良の形態】
【００３４】
この発明に係る中心機能の包埋枠状基体籠７は、図１・図２に示す如くである。この包埋枠状基体籠７の二つの機能の一つは、切り出しトリミングされた生物試料３を脱水・脱脂・透徹・包埋剤浸透等の薬液処理をする時にそれら生物試料３の紛失・混入等を防止して確実に試料の薬液処理を実施するための、器具・籠の機能である。
この包埋枠状基体籠７は、包埋枠状基体本１と、上下一対の籠蓋部２，２とを備えている。前記包埋枠状基体本１は、平面視が長方形状に形成された筒体で、その上側及び下側は開口部１Ａ、１Ａとなっている。前記基体１の短辺側外周の上端側及び下端側には、蓋掛け止め部１ａ，１ａが突設されている。
【００３５】
前記籠蓋部２は、前記包埋枠状基体１の端面に当接する長方形状の枠部２Ａと、該枠部２Ａに囲まれた多孔部（網部）２Ｂとを備えている。
前記枠部２Ａの下面には、前記蓋掛け止め部１ａに係止する籠蓋係止部２ａが突設されている。この係止部２ａは、短辺側にそれぞれ２個づつ設けられているが、その本数や形状、配置位置等は、必要に応じて適宜選択される。なお、図において、１ｂは方向性を示すための基準マーク、４は試料番号データ記載紙、５は試料番号、をそれぞれ示す。
前記生物試料３を収容した包埋枠状基体本籠７は、籠ごと脱水・脱脂・透徹・包埋剤浸透の薬液処理が行われる。
【００３６】
他の包埋枠状基体籠：
図３から図８は、包埋枠状基体籠７の代表例を図示したものであるが、図１、図２の図面符号と同一図面符号は、その名称も機能も同一である。
図３は、一番スタンダードな形状で、図１・図２に示したタイプの包埋枠状基体籠７で上下側開口部の籠蓋部２は、同じ形状で併用可能である。
【００３７】
図４は、上側開口部１Ａ側に薄切用ブロック支持基台１１Ａの支持部１３bが形成されていて、その開口部１Ａ側の形状が一致したらどのタイプ（例えば板状・ブロック状・従来のカセット形状或いは箱状またはリングやフレームカセット状とその大きさや形状）の薄切用ブロック支持基台１１Ａも自由に選択する事が可能である。
【００３８】
図５から図７は、現在多くの各メーカーで製造販売して普及しているデータ記録部（籠蓋傾斜部２ｃ）を成形している所謂カセット基台１１の形状の薄切用ブロック支持基台１１Ａ用の包埋枠状基体籠７の説明図である。上記図１〜図４の図面符号と同一図面符号は、その名称も機能も同一である。
【００３９】
図５（Ａ）は縦断面図、図５（Ｂ）はその側面図であり、図６（Ａ）は平面図、図６（Ｂ）は正面図であり、図７はその斜面図である。なお、２１ａは包埋枠内壁、を示す。
【００４０】
図８は、包埋枠状基体籠７の上側開口部１Ａ側の籠蓋部２を、薄切用ブロック支持基台11Aの形状にして籠蓋兼用（「薄切用ブロック支持基台代用の籠蓋部」）にした縦断面図である。図８（Ａ）は、多孔支持底板１８が薄型の該薄切用ブロック支持基台１１Ａの底面外周より狭い面積にて突設されて、その多孔支持底板１８外周は、前記包埋枠状基体１の上側開口部１Ａ内周に水密に嵌合する構造に成形されている。
【００４１】
なお、１１Ｂは、ブロック支持基台多孔底板、１１Cは、ブロック支持基台開口部、１１Dは、ブロック支持基台多孔底板部、をそれぞれ示す。
【００４２】
図８（Ｂ）は、包埋枠状基体籠７の上側開口部１Ａ側の籠蓋部２を、薄切用ブロック支持基台１１Ａの形状にして籠蓋兼用（「薄切用ブロック支持基台代用の籠蓋部」）にした縦断面図であり、前記包埋枠状基体１の上側開口部１Ａ側に薄切用ブロック支持基台１１Ａを載せる支持部１３ｂが形成され、開口部内の前記支持部１３ｂ上に薄型板状、または、箱状の薄切用ブロック支持基台１１Ａを水密に嵌合した構造に成形されている。
【００４３】
図８（Ｃ）は、包埋枠状基体籠７の上側開口部１Ａ側の籠蓋部２を、薄切用ブロック支持基台１１Ａの形状にして籠蓋兼用（（「薄切用ブロック支持基台代用の籠蓋部」）にした縦断面図であり、前記包埋枠状基体１の上側開口部側に薄切用ブロック支持基台１１Ａの外周を載せる支持部１３ｂが形成され、その開口部内の前記支持部１３ｂ上に載せられた薄型板状、または、箱状の薄切用ブロック支持基台１１Ａの底面外周より狭い面積にて、多孔支持底板１８が突設されて、該多孔支持底板１８外周が該支持部１３ｂ下側の内周に嵌合する構造に成形されている。
【００４４】
包埋行程：
図９〜図１３は、包埋枠状基体籠７を用いての包埋ブロック手順を示した図である。図９は、底板になる金属製平板３３の上に、薬液処理で使用した籠蓋部２を外した包埋枠状基体１を移動している作業図である。この金属製平板３３は、長方形状に形成され、その面積は、長方形状の包埋枠状基体１よりも大きく形成されている。
【００４５】
図１０・図１１は、包埋枠状基体１の下側開口部の周辺下部に付着している、包埋剤パラフィンの冷却固化力と表面張力４１ａで金属製平板３３を、包埋枠状基体１の下側開口部に接着して包埋皿状器具を作製して少量のパラフィン包埋剤１４を注入し、その中に生物試料３をピンセット３４で摘んで移し替えている図である。
【００４６】
更にまた図１２は、コールドプレート５０上で上記包埋皿状器具である容器の底部に、ピンセット３４で前記生物試料３の下側薄切面を上から軽く押しつけ、包埋剤の冷却固化力で平坦に伸ばして接着し、図１３に示すように、薄切用ブロック支持基台１１Ａを、包埋皿状器具の外枠パーツである包埋枠状基体１の所定の箇所に水密に嵌合させ、上から包埋剤１４を補充充填して生物試料３と薄切用ブロック支持基台１１Ａを一体的に包埋する。なお、３０は、ＩＣタグ等データ記憶メディア設置部、３５は、データ収納部形成枠、３６は、包埋センター包埋剤注入口、１１ｅは窓口、１１ｆは格子、をそれぞれ示す。
【００４７】
図１４は、この生物試料の薬液処理籠の機能から独立し、薬液には浸漬されていない薄切用ブロック支持基台１１Ａの所定の箇所に、包埋完了直前に収納設置するＩＣタグの一例図である。図１４において、３７はストライプ型ＩＣタグ(図１４（Ａ）)、３７ａはストライプ型ＩＣタグの側面(図１４（ａ）)、３８はラベル型ＩＣタグ(図１４（Ｂ）)、３８aはラベル型ＩＣタグの側面(図１４（ｂ）)、３９はコイン型ＩＣタグ(図１４（Ｃ）)、３９aはコイン型ＩＣタグの側面(図１４（ｃ）)、４０はごま粒形ＩＣタグ(図１４（Ｄ）)、４０aはごま粒形ＩＣタグの側面(図１４（ｄ）)、をそれぞれ示す。
【００４８】
図１５・図１６は、この収納設置する試料番号データ用紙４とＩＣタグ３７の収納タイミングと設置場所を示している。
図１５のＩＣタグ３７は、ピンセット３４で挟まれ、図１６に示すように、メデイア設置部３０に収納される。
【００４９】
更にまた、図１７は、この包埋枠状基体１と底板（金属製平板）３３とからなる包埋皿状器具による包埋方法の薄切用ブロック試料５１の外し方を示している。
図１７に示すように、包埋枠状器具を、前記包埋枠状基体１を下側にして両手４２で挟持し、親指４２ａで包埋剤１４を押し上げると、薄切用ブロック試料５１は、前記基体１から簡単に外れる。
【００５０】
図１８は、その薄切用ブロック試料５１を外した図であり、試料データ４やＩＣタグ３７も付いている。この時完成する該薄切用ブロック試料５１は、前記特許文献１、２に開示されている「バリ無しブロック試料」であることは自明のことである。
図１９は、従来の厚さの薄切用ブロック支持基台（１１A）を用いた時の前記薄切ブロック試料５１を薄切用ミクロトームに固定するアダプター３１に固定して薄切している図である。図１９において、３１aはアダプター用カセット固定装置、３１ｂはアダプター用カセット固定爪、１１Hはアダプター用カセット固定爪の掛け止め部（爪係部）、３２はミクロトーム刀、をそれぞれ示す。
【００５１】
図２０から図２４は、図９から図１３の包埋枠状基体籠７と薄切用ブロック支持基台１１Ａとは異なった形状の実施例の包埋ブロック手順を示した図である。
図２１は、底板になる皿状器具３３a の上に、薬液処理で使用した籠蓋部２を外した包埋枠状基体１を移動している作業図である。
【００５２】
さらにまた、図２２・図２３は、包埋枠状基体１の下側開口部の周辺下部に付着している包埋剤パラフィンの冷却固化力と表面張力で皿状器具３３a を、包埋枠状基体１の下側開口部に接着して包埋皿状器具を作製して少量のパラフィン包埋剤１４を注入して、その中に生物試料３を移し替えている図である。
【００５３】
図２４は、コールドプレート５０上で上記包埋皿状器具である容器の底部に、ピンセット３４で前記生物試料３の下側薄切面を上から軽く押しつけ、包埋剤の冷却固化力で平坦に伸ばして接着し、図２４（A）に示すように、薄切用ブロック支持基台１１Ａを、包埋皿状器具の外枠パーツである包埋枠状基体１の所定の箇所に水密に嵌合させて上から包埋剤を補充充填し、生物試料３と薄切用ブロック支持基台１１Ａを一体的に包埋する。図２４（B）は、薄切用ブロック試料５１を前記包埋枠状基体１から外している図である。
【００５４】
また、図２５から図３０は、包埋枠状基台籠７の包埋枠状基台１の上側開口部１Ａに水密嵌合させて試料と一体的に包埋して薄切用ブロック試料５１を成形作製できる、従来のカセット基台１１の形状に似せた薄切用ブロック支持基台１１Ａの実施例で、従来のカセットシステムとしても使用可能であるが、ＩＣタグ等データ記憶メディア設置部や窓口等の工夫を加えてある。
【００５５】
即ち、包埋枠状基台１の上側開口部の内径に嵌合する形状と大きさに合わせてそれらブロック支持基台の底部を成形すれば、図２５から図２７は箱型で、図２８から図３０は従来のスタンダードタイプの形状で、図３１・図３２は所謂リングやフレームカセットと呼ばれて普及している薄切用ブロック支持基台１１Ａの役目を果たすことができる。
【００５６】
標本作製現場では、各現場作業者の嗜好、または、考え方に因って、薄切用ブロック支持基台１１Ａの形状、或いは、機能性の面から従来のカセットシステムの傾斜したデータ記載面を成形した普及形状カセット基台や箱形基台やリング・フレームカセット基台やいまだに台木や台木状形状のブロック支持基台を使用している現場も種々存在していて、それら作業現場からの要求に応えることが可能になる。
【００５７】
図において、  １１aはカセットのデータ記録部、１１ｂは生検試料用小部屋収納部、１１ｃはカセット基体開口部、４３はリングまたはフレームカセット表、４３ａはリングまたはフレームカセット裏、４３ｂはリングの格子、４３ｃはリングのミクロトーム固定部、をそれぞれ示す。
【００５８】
図３３は、リング（フレームカセット）状の薄切用ブロック支持基台１１Ａの包埋時の図である。最後に、試料番号データ記録紙４を支持基台１１Ａの邪魔にならない所定の箇所に、外から見えるように包埋剤１４で貼り付けて、その検体試料番号５やバーコード４aを照合確認したり、ＩＣタグ３７を所定の箇所（ＩＣタグ等データ記憶メディア設置部３０）に収納設置する。
【００５９】
図３４から図４９までは、この発明での包埋枠状基体１で嵌合させて薄切用ブロック試料５１が作製可能な、薄切用ブロック支持基台１１Ａの形状、或いは、機能性の代表実施例の説明図である。
図３４から図４１の説明図は、包埋枠状基体１の上側開口部の内側に前記薄切用ブロック支持基台１１Ａの包埋皿状器具内に落ち込みを防止して、且つ薄切用ミクロトームのアダプター３１用カセット固定装置３１aの薄切用ブロック支持基台１１Ａの固定部であるアダプター用カセット固定爪の掛け止め部（爪係部）１１Hを成形する為の包埋剤の立ち上がりを、該薄切用ブロック支持基台１１Ａの底面外周から一定の巾だけ下げる役目の所謂支持部１３ｂを成形しないで、その分薄切用ブロック支持基台１１Ａの形状の中にその機能を持たしている、包埋枠状基体１と薄切用ブロック支持基台１１Ａの包埋籠システムの説明図である。
【００６０】
図４２から図４９の説明図は、包埋枠状基体１の上側開口部の内側に前記薄切用ブロック支持基台１１Ａの包埋皿状器具内に落ち込みを防止して、且つ薄切用ミクロトームのアダプター３１用カセット固定装置３１aの薄切用ブロック支持基台１１Ａの固定部であるアダプター用カセット固定爪の掛け止め部（爪係部）１１Hを成形する為の包埋剤の立ち上がりを、該薄切用ブロック支持基台１１Ａの底面外周から一定の巾だけ下げる役目の所謂支持部１３ｂを成形しており、薄切用ブロック支持基台１１Ａの形状にはその機能構造を成形する必要が無く、その分薄切用ブロック支持基台１１Ａの構造を単純且つ薄くすることが可能な、包埋枠状基体１と薄切用ブロック支持基台１１Ａの包埋籠システムの説明図である。
【００６１】
図３４（Ａ）は、この発明の支持部１３ｂの無い包埋枠状基体籠７の上下の籠蓋部２を外して、その中に収納されて薬液処理された生物試料３を包埋枠状基体１と底板（金属製平板）３３とで成形された包埋皿状器具で前記薄切用ブロック支持基台１１Ａの一つである該リング（フレームカセット）状のＩＣタグ等データ記憶メディア設置部３０を成形した薄切用ブロック支持基台１１Ａで一体的に固化包埋している図である。
【００６２】
図３４（Ｂ）は、そのブロック試料５１であるが、リング（フレームカセット）の包埋枠状基体上側開口内部に嵌合された底面表４３の全面に包埋剤が被り、その外周から直接にブロック包埋剤１４が立ち上がっている。リング（フレームカセット）の薄切用ミクロトームの固定は、ミクロトームのブロック固定部２７で行う。
【００６３】
これは、図３５から図４１の全てに同様のことを言うことができるが、前記薄切用ブロック支持基台１１Ａが包埋枠状基体１の上側開口部内に嵌合された部分の底部全面に包埋剤が被り、その外周から直接にブロックが立ち上がっている。
それは、図１９と図５２に示されるように、該薄切用ブロック支持基台１１Ａの底面外周部に、薄切用ミクロトームのアダプター３１のカセット固定装置３１a のアダプター用カセット固定爪３１ｂが掛け止めできる爪係部１１Hを成形してあるので、該薄切用ブロック支持基台１１Ａを固定できるからである。
但し、図３５の該薄切用ブロック支持基台１１Ａは、旧来の台木状基台であり、薄切用ミクロトームのブロック固定部で固定する。
【００６４】
また、図４１に示す如く、該薄切用ブロック支持基台１１Ａは、その生物試料３の収納薬液処理籠としては使用しない。そのため、その形状を自由に選択できて薄くすることもできて、逆に生物試料３の薬液処理籠の役目を担う包埋枠状基体籠７の枠状基体１をその下側開口部の形状に合う皿状器具３３a と併用すれば、厚さ、或いは、長さのある試料を、縦に包埋して標本作製ができる。
該薄切用ブロック支持基台１１Ａは、外形の形状は図３７と同じであるが、包埋剤との接着連結の為の素材や構造は、図３９と同様である。
【００６５】
図３６は、ある程度の厚さのある薄切用ブロック支持基台１１Ａで、底部には窓口１１ｅがあり、凹部上部分に試料番号データ記録紙４を貼り付けてその周囲には、ＩＣタグ等データ記憶メディア設置部３０が縦に成形されている。
図３７は、図３６の薄切用ブロック支持基台１１Ａの厚さよりも薄く、底部には窓口１１ｅがあるが、その周囲にはＩＣタグ等データ記憶メディア設置部３０を縦に成形する厚さが無く、該薄切用ブロック支持基台１１Ａの底部の凹部に、試料番号データ記録紙４とＩＣタグ３７を横に貼り付けて収納設置する。図３６・図３７共に生物試料３の包埋側にデータ記録部１１a が成形されている。
【００６６】
また、図３８は、図３６や図３７の薄切用ブロック支持基台１１Ａのように底部に窓口が無く、該底部は多孔底部１１ｄからなり、生物試料３の包埋側にデータ記録部１１aを成形しておらず、その突出程度は図３８に示すように、薄切用ミクロトームのアダプター３１のカセット固定装置３１aの爪係部１１Hのみの役目で短く狭くなっている。故に試料番号データ記録紙４やＩＣタグ等データ記憶メディア設置部３０は、その多孔底部１１ｄの凹部上部にある。
【００６７】
また、図３９・図４０・図４１では、ブロック支持基台１１Ａの底部には、成形された多孔構造は無く、多孔性素材、例えば、木製・発砲プラスチックや周囲外面を粗面加工した合成樹脂で成形している。図３９・図４０では、薄切用ブロック支持基台１１Ａの底面が突出して外周部に薄切用ミクロトームのアダプター３１用カセット固定装置３１aの爪係部１１Hが狭い形状になっている。
図４０の薄切用ブロック支持基台１１Ａの底面突出部の上側は、凹状に成形されていてその凹部には、試料番号データ記録紙４やＩＣタグ等データ記憶メディア設置部３０がある。図３９には、図４０の凹部は成形されていない。
【００６８】
また、図４２（Ａ）は、この発明の支持部１３ｂを有する包埋枠状基体籠７の上下の籠蓋部２を外し、その中に収納されて薬液処理された生物試料３を、包埋枠状基体１と金属製平板（底板）３３とで成形された包埋皿状器具内に移し替え、前記薄切用ブロック支持基台１１Ａの一つである該リング（フレームカセット）状のＩＣタグ等データ記憶メディア設置部３０を成形した薄切用ブロック支持基台１１Ａで一体的に固化包埋している図である。
【００６９】
図４２（Ｂ）は、そのブロック試料５１であるが、リングの包埋枠状基体の上側開口部内に嵌合された底面表４３の全面より前記包埋枠状基体１に成形された支持部１３ｂの巾の分だけ狭く包埋剤が被り固化しており、その位置からブロック包埋剤１４が立ち上がっている。リング（フレームカセット）の薄切用ミクロトームの固定はミクロトームのブロック固定部２７で行う。
【００７０】
これは図４３から図４９の全てに同様のことを言うことができるが、前記薄切用ブロック支持基台１１Ａが包埋枠状基体１の上側開口部内の支持部１３ｂの上に載せられる様に、前記開口部内側に嵌合された部分の底部全面の前記支持部１３ｂの巾の分だけ狭く包埋剤が被り固化しており、その位置からブロック包埋剤１４が立ち1上がっている。それは、該薄切用ブロック支持基台の底面外周部を、薄切用ミクロトームのアダプター３１のカセット固定装置３１aのアダプター用カセット固定爪３１ｂが掛け止めできる爪係部１１Hとする時に、生物試料３を該薄切用ブロック支持基台１１Aと一体的に包埋しているブロック包埋剤１４を前記アダプター３１のカセット固定装置３１aの固定爪１１Hで割り込み破壊剥離させない為である。
【００７１】
また、図４９に示す如く、該薄切用ブロック支持基台１１Ａは、その生物試料３の収納薬液処理籠としては使用しないので、その形状を自由に選択できて薄くすることもできて、逆に生物試料３の薬液処理籠の役目を担う包埋枠状基体籠７の枠状基体１を重ねてその下側開口部を皿状器具３３a や金属製平板３３と併用すれば、厚さ或いは長さのある試料を縦に包埋して標本作製ができる。該薄切用ブロック支持基台１１Ａは、外形の形状は図４８と同じであるが、包埋剤との接着連結の為の素材は図４７とも同様で、多孔性素材、例えば、木製・発砲プラスチックや周囲外面を粗面加工した合成樹脂で成形されている。
【００７２】
また、図４３は、ある程度の厚さのある薄切用ブロック支持基台１１Ａで底部には、窓口は無く、凹部上部分に試料番号データ記録紙４を貼り付け、その周囲にはＩＣタグ等データ記憶メディア設置部３０が縦に成形されている。上側開口部に脱着可能な蓋部を取り付ける係止部は、ブロック支持基台の外側に突出しない形状にする方が都合良い。
図４４は、図４３の薄切用ブロック支持基台１１Ａ と同じ厚さで、底部には窓口があり、その周囲にはＩＣタグ等データ記憶メディア設置部３０を縦に成形している。該薄切用ブロック支持基台１１Ａの底部の凹部に、試料番号データ記録紙４ と ＩＣタグ３７を横に貼り付けて収納設置しても良い。
【００７３】
また、図４５・図４６の薄切用ブロック支持基台１１Ａは、リング（フレームカセット）を反転したような形状であり、包埋剤パラフィン１４の包埋剤の内部側に窓枠状構造物が突出しており、その内部の格子や構造に包埋剤を絡めて生物試料３と前記薄切用ブロック支持基台１１Ａを一体的に固定保持包埋する。故に試料番号データ記録紙４やＩＣタグ等データ記憶メディア設置部３０は、その窓枠状底部の凹部上部や底面に接着する。
【００７４】
また、図４７・図４８・図４９は、薄切用ブロック支持基台１１Ａの底部には成形的な多孔構造は無く、該底部は多孔性素材、例えば、木製・発砲プラスチックや周囲外面を粗面加工した合成樹脂で成形しており、図４７から図４９は、薄切用ブロック支持基台１１Ａの底面は支持部１３ｂ の上に載せた形で包埋枠状基体１の上側開口部の内側に嵌合している。
図４７の薄切用ブロック支持基台１１Ａの底面の上側は、箱状凹状に成形されていて、その凹部には試料番号データ記録紙４やＩＣタグ等データ記憶メディア設置部３０がある。図４８には、図４７の凹部は成形されていない。
【００７５】
また、図５０・図５１は、図３８の該包埋枠状基体１と該皿状器具３３a とからできた包埋皿状器具の上側開口部に、該薄切用ブロック支持基台１１Ａを嵌合し、包埋センター包埋剤注入口３６から熔融包埋剤（パラフィン）を補充して該生物試料３と該薄切用ブロック支持基台１１Ａを一体的に包埋し、該薄切用ブロック支持基台１１Ａの多孔底部１１Ｄ上に試料番号５やバーコード４aが印字・記載された試料番号データ記録紙４やＩＣタグを置き、包埋剤の固化接着力で一体化させる。
図５２は、図５０・図５１で包埋完了した薄切用ブロック試料 ５１ を、厚さ調整板４４により薄い該薄切用ブロック支持基台１１Ａ を従来の薄切ミクロトーム用アダプター３１のカセット固定装置３１a の固定爪の位置に合わせて固定し、薄切している図である。
【００７６】
また、図５３から図５９は、該薄切用ブロック支持基台１１Ａを試料の脱水・脱脂・透徹・包埋剤浸透等の薬液処理籠としては一切使用する必要が無くなったので、その構造形態を１mmから２mm程度に薄くすることや多孔底面の通液孔の直径を大きくした時には格子状にしたり、逆に包埋剤に馴染み接着性の良い面加工や細かい木目状の細多孔状に仕上げれば、大きな多孔底面を持たないブロック支持基台１１Ａを成形することもできる。又、該ブロック支持基台１を薬液に浸漬する必要が無くなったので、前もって試料番号５やバーコード等データ記憶メディアを印刷記載する時間もでき、将来的にＩＣタグが安価になれば該薄切用ブロック支持基台１１Ａの内部に初めから埋め込んだブロック支持基台も成形して使用することも可能となるので、その事を図示した。
【００７７】
データの記録行程：
図６０から図６３は、該薄切用ブロック支持基台１１Ａのデータ記録部１１aに、レーザー彫り込み焼き付け印刷機のレーザー照射部４８からレーザー光線の照射による表面の彫り込み焼き付け作業によって、試料番号５やバーコード等データ記憶メディア４aを印字・印刷している説明図である。
図６０の（Ａ）、（Ｂ）、（Ｃ）、（Ｄ）、（Ｅ） は、従来の所謂スタンダードの形状のカセット基体タイプの該薄切用ブロック支持基台１１Ａのデータ記録部１１aに彫り込み焼き付けている図である。
図６１（Ａ）は、箱形のタイプの、図６５（Ｂ）は、リング（フレームカセット）タイプの該薄切用ブロック支持基台１１Ａのデータ記録部１１aに彫り込み焼き付けている図である。
【００７８】
また、図６２は、図５３から図６０の薄型の薄切用ブロック支持基台１１Ａ、特に、図５４のデータ記録部１１aに、レーザー光線の照射による表面の彫り込み焼き付け作業によって試料番号５やバーコード（図６２（A））と試料番号５二次元データコード（図６２（B））を彫り込み焼き付けている図である。
【００７９】
図６３は、薄切用ブロック支持基台１１Ａのデータ記録部１１aを、レーザー彫り込み焼き付け印刷機のレーザー照射部４８で試料番号５とバーコード等データ記憶メディア４aを彫り込み焼き付けている図である。
図６３（A）は、ブロック支持基台表面被覆蒸着部材４９ｂをレーザーで彫り込み焼き付けてブロック支持基台彫り込み凝着発現部材４９aを露出させ、試料番号５とバーコード等データ記憶メディア４aを打ち出し印字している断面図であり、図６３（B）はその表面説明図である。
【００８０】
更に本発明による病理試料採取移送受付照合切り出し標本作製システムが従来のマイルス社（米国法人）のカセットシステムと大きく変わり発展しているところは、前述もしたが「マイルス社の薬液処理籠とブロック支持基台とを兼任した所謂カセットと包埋皿のシステム工程」が基本であったので、そのマイルス型システム器具の使用開始は病理標本作製の現場作業開始であるトリミング切り出し時からであり、更にその時トリミングされた試料の薬液処理籠を兼ねているので、一定以上の容積を必要としており、また切り出し時にはそのブロック支持基台としてのデータ記載が必要であった。それに対して本発明の薄切用ブロック支持基台１１Ａ には収納部が絶対的に必要ではなく、在っても試料番号データ記録紙４やバーコード等データ記憶メディア４a やＩＣタグ等データ記憶メディア等を収納する１mm程度の深さの凹部（設置部３０）を備えていれば充分であるが、その凹部に患者試料と一緒に収納してある包埋枠状基体籠７内の丈夫な薄型のケント紙または西洋紙からなる試料番号データ記録紙４やバーコード等データ記憶メディア４a 記録紙を取り出して平坦に広げてパラフィン等包埋剤の凝固接着力で一体的に固化固定すると、その時点で図６４に示す様に薄切用ブロック支持基台１１Ａ に敢えて事前に患者番号や試料データ等の印字記載をしておかなくても、データ記憶メディアをリーダー（読み取り機）で機械的にデータの判読可能な薄切用ブロック試料 ５１が完成する。  
【図面の簡単な説明】
【００８１】
【図１】この発明の包埋枠状基体籠（容器）の実施形態を示す斜面図である。
【図２】図２（Ａ）は平面図、図２(Ｂ）は縦断面図、である。
【図３】図１の包埋枠状基体籠（容器）の他の実施形態を示す平面図である。
【図４】図３の包埋枠状基体籠（容器）の他の実施形態を示す平面図である。
【図５】図５（Ａ）は図３の包埋枠状基体籠（容器）の他の実施形態を示す縦断面図、図５（Ｂ）は図５（Ａ）の側面図、である。
【図６】図６（Ａ）は図５（Ａ）の平面図、図６（Ｂ）は図５（Ｂ）の正面図、である。
【図７】図６（Ａ）の斜面図である。
【図８】図８（Ａ）、図８（Ｂ）、図８（Ｃ）は、それぞれ図１の実施例と異なる実施例の縦断面、である。
【図９】この発明の包埋枠状基体籠の上側の籠蓋部を取り外して、包埋枠状基体を金属製平板上に移し替えて包埋皿状器具を構築している図である。
【図１０】図９で構築された包埋皿状器具の底部金属製平板の上に生物試料を移し替えている図である。
【図１１】図１１（Ａ）は図９で構築した包埋皿状器具の包埋枠状基体下側開口部と金属製平板との接触部を示す縦断面図、図１１（Ｂ）は図１１（Ａ）の要部の拡大図、である。
【図１２】図１１の包埋皿状器具の上側開口部にブロック支持基台を嵌合させている図で、図１２(Ａ)は平面図、図１２（Ｂ）は縦断面図、である。
【図１３】図１２の包埋作業の次の段階作業の図で、図１３（Ａ）は平面図、図１３（Ｂ）は縦断面図、である。
【図１４】図１３でも使用する種々のＩＣタグのイメージ図、図１４（Ａ）(Ｂ）（Ｃ）（Ｄ）は平面図、図１４(ａ)(ｂ)（ｃ)(ｄ)は側面図、である。である。
【図１５】図１４に図示したＩＣタグの設置部位を示した図である。
【図１６】図１５の次の包埋作業で、試料番号データ記録紙やＩＣタグを設置した図、図１６（Ａ）は平面図、図１６(Ｂ)は縦断面図、である。
【図１７】図１６で包埋作業の完了した薄切用ブロック試料を包埋枠状基体から外している図である。
【図１８】図１７で外した一部である薄切用ブロック試料の断面図である。
【図１９】図１８の一部である薄切用ブロック試料をミクロトーム用アダプターにセットした図で、図１９(Ａ)は平面図、図１９(Ｂ)は縦断面図、図１９（Ｃ）は図１９（Ｂ）とは異なる形状の薄切用ブロック試料の縦断面図である。
【図２０】図２とは若干異なる包埋枠状基体籠の図で、図２０（Ａ）は平面図、図２０（Ｂ）は縦断面図、である。
【図２１】図９の包埋枠状基体籠とは異なる包埋枠状基体籠の上側の籠蓋部を取り外して、包埋枠状基体を皿状器具の上に移し替えて包埋皿状器具を構築している図である。
【図２２】図２１の次の作業をしている図である。
【図２３】図２２の次の作業をしている図である。左右の薄切用ブロック支持基台の形状は若干異なる。
【図２４】図２４(Ａ)は図２３の次の作業をしている図である。図２４（Ｂ）は薄切用ブロック試料を包埋枠状基体から外している図、である。
【図２５】この発明で使用される薄切用ブロック支持基台の普及型を示す図で、図２５（Ａ）は平面図、図２５（Ｂ）は縦断面図、である。
【図２６】図２５の他の実施例の一例の図で、図２６（Ａ）は平面図、図２６(Ｂ)は縦断面図、である。
【図２７】図２６の他の実施例の一例の図で、図２７（Ａ）は平面図、図２７(Ｂ)は縦断面図、である。
【図２８】図２７の他の実施例の一例の図で、図２８(Ａ)は平面図、図２８(Ｂ)は縦断面図、である。
【図２９】図２８の他の実施例の一例の図で、図２９(Ａ)は平面図、図２９（Ｂ）は縦断面図、である。
【図３０】図２９の他の実施例の一例の図で、図３０(Ａ)は平面図、図３０（Ｂ）は縦断面図、である。
【図３１】図３０の他の実施例の一例の図で、図３１(Ａ)は裏面図、図３０（Ｂ）は平面図、である。
【図３２】図３１の側断面図の一例である。
【図３３】図３２のパーツを用いての包埋作業の図である。
【図３４】図３４（Ａ）は、この発明の包埋枠状基体から作られる包埋皿状器具の上側開口部に嵌合する薄切用ブロック支持基台と包埋剤との関係図である。図３４（Ｂ）は、図３４（Ａ）で包埋された包埋ブロック試料の縦断面図である。
【図３５】包埋枠状基体から作られる包埋皿状器具の上側開口部に嵌合する薄切用ブロック支持基台と包埋剤との図３４とは別の実施例の関係図である。
【図３６】包埋枠状基体から作られる包埋皿状器具の上側開口部に嵌合する薄切用ブロック支持基台と包埋剤との図３５とは別の実施例の関係図である。
【図３７】包埋枠状基体から作られる包埋皿状器具の上側開口部に嵌合する薄切用ブロック支持基台と包埋剤との図３６とは別の実施例の関係図である。
【図３８】包埋枠状基体から作られる包埋皿状器具の上側開口部に嵌合する薄切用ブロック支持基台と包埋剤との図３７とは別の実施例の関係図である。
【図３９】包埋枠状基体から作られる包埋皿状器具の上側開口部に嵌合する薄切用ブロック支持基台と包埋剤との図３８とは別の実施例の関係図である。
【図４０】包埋枠状基体から作られる包埋皿状器具の上側開口部に嵌合する薄切用ブロック支持基台と包埋剤との図３９とは別の実施例の関係図である。
【図４１】包埋枠状基体から作られる包埋皿状器具の上側開口部に嵌合する薄切用ブロック支持基台と包埋剤との図４０とは別の実施例の関係図である。
【図４２】図４２（Ａ）は、包埋枠状基体から作られる包埋皿状器具の上側開口部に嵌合する薄切用ブロック支持基台と包埋剤との図３４とは別の実施例の関係図である。図４２（Ｂ）は、図４２（Ａ）で包埋された包埋ブロック試料の縦断面図である。
【図４３】包埋枠状基体から作られる包埋皿状器具の上側開口部に嵌合する薄切用ブロック支持基台と包埋剤との図４２とは別の実施例の関係図である。
【図４４】包埋枠状基体から作られる包埋皿状器具の上側開口部に嵌合する薄切用ブロック支持基台と包埋剤との図４３とは別の実施例の関係図である。
【図４５】包埋枠状基体から作られる包埋皿状器具の上側開口部に嵌合する薄切用ブロック支持基台と包埋剤との図４４とは別の実施例の関係図である。
【図４６】包埋枠状基体から作られる包埋皿状器具の上側開口部に嵌合する薄切用ブロック支持基台と包埋剤との図４５とは別の実施例の関係図である。
【図４７】包埋枠状基体から作られる包埋皿状器具の上側開口部に嵌合する薄切用ブロック支持基台と包埋剤との図４６とは別の実施例の関係図である。
【図４８】包埋枠状基体から作られる包埋皿状器具の上側開口部に嵌合する薄切用ブロック支持基台と包埋剤との図４７とは別の実施例の関係図である。
【図４９】包埋枠状基体から作られる包埋皿状器具の上側開口部に嵌合する薄切用ブロック支持基台と包埋剤との図４８とは別の実施例の関係図である。
【図５０】図３８の包埋作業の平面図である。
【図５１】図５０の包埋作業で熔融包埋剤を追加補充している図である。
【図５２】図５１の包埋作業で成形された包埋ブロック試料をアダプターに固定して薄切している図である。
【図５３】図５１のパーツの薄型ブロック支持基台１１Ａを示す図で、図５３（Ａ）は裏面図、図５３（Ｂ）は縦断面図、図５３（Ｃ）は横断面図、図５３（Ｄ）は表面図で包埋ブロック試料のデータメディア設置例である。
【図５４】図５３のパーツの薄型ブロック支持基台１１Ａの他実施例を示す図である。図５４（Ａ）は裏面図、図５４（Ｂ）は縦断面図、図５４（Ｃ）は横断面図、図５４（Ｄ）は表面図で包埋ブロック試料のデータメディア設置例である。
【図５５】図５３のパーツの薄型ブロック支持基台１１Ａの他実施例を示す図である。図５５（Ａ）は裏面図、図５５（Ｂ）は縦断面図、図５５（Ｃ）は横断面図、図５５（Ｄ）は表面図で包埋ブロック試料のデータメディア設置例である。
【図５６】図５３のパーツの薄型ブロック支持基台１１Ａの他実施例を示す図である。図５６（Ａ）は裏面図、図５６（Ｂ）は縦断面図、図５６（Ｃ）は横断面図、図５６（Ｄ）は表面図で包埋ブロック試料のデータメディア設置例である。
【図５７】図５３のパーツの薄型ブロック支持基台１１Ａの他実施例を示す図である。図57（Ａ）は裏面図、図５７（Ｂ）は縦断面図、図57（Ｃ）は横断面図、図57（Ｄ）は表面図で包埋ブロック試料のデータメディア設置例である。
【図５８】図５３のパーツの薄型ブロック支持基台１１Ａの他実施例を示す図である。図５８（Ａ）は裏面図、図58（Ｂ）は縦断面図、図58（Ｃ）は横断面図、図58（Ｄ）は表面図で包埋ブロック試料のデータメディア設置例である。
【図５９】図５３のパーツの薄型ブロック支持基台１１Ａの他実施例を示す図である。図５９（Ａ）は裏面図、図5９（Ｂ）は縦断面図、図5９（Ｃ）は横断面図、図5９（Ｄ）は表面図で包埋ブロック試料のデータメディア設置例である。
【図６０】従来のカセット枠状基体のスタンダードの形状である薄切用包埋ブロック支持基台１１Ａであり、図６０（Ａ）は正面図（データ記録部１１a）側、図６０（B）は多孔底板１１Bを持つブロック支持基台１１Ａの正面図側、図６０（C）は平面図側から見た図である。図６０（D）、図６０（E）は、図６０（A）、図６０（B）の側面図側のデータ記録部１１aにレーザー光線で試料番号５とバーコード等データ記憶メディアを彫り込み焼き付けている図である。
【図６１】図６０の別の薄切用包埋ブロック支持基台１１Ａのデータ記録部１１aにレーザー光線で試料番号５とバーコード等データ記憶メディアを彫り込み焼き付けている図である。図６１（A）は箱形のタイプの正面図、図６１（Ｂ）はリング（フレームカセット）タイプの平面図、である。
【図６２】図６０・図６１とはまた別の薄切用包埋ブロック支持基台１１Ａのデータ記録部にレーザー光線で試料番号とバーコード等データ記憶メディアを彫り込み焼き付けている図である。図６０(Ａ)は試料番号とバーコードを彫り込んでいる平面図、図６０（Ｂ）は試料番号と二次元データコードを彫り込んでいる平面図、である。
【図６３】図６０から図６２の薄切用包埋ブロック支持基台１１Ａのデータ記録部にレーザー光線で試料番号とバーコード等データ記憶メディアを彫り込み焼き付けている説明図で、図６３（Ａ）は正面図、図６３（Ｂ）は平面図、である。
【符号の説明】
【００８２】
１          包埋枠状基体
１Ａ        開口部
２          籠蓋部
３          トリミングされた生物試料
４          試料番号等データ記録紙
７          包埋枠状基体籠
１１Ａ      ブロック支持基台
１１Ｂ      ブロック支持基台多孔底板
１１Ｃ      ブロック支持基台開口部
１１Ｄ      ブロック支持基台多孔底部
１４        包埋剤
３０        ＩＣタグ等データ記憶メディア設置部
３３        金属製平板
３３a       皿状器具
３６        包埋センター包埋剤注入口
３７        ストライプ型ＩＣタグ
３８        ラベル型ＩＣタグ
３９        コイン型ＩＣタグ
４０        ごま粒形ＩＣタグ
４８        レーザー彫り込み印刷機照射部
４９a      ブロック支持基台彫り込み凝着発現部材
４９ｂ      ブロック支持基台表面被覆部材
５１         薄切用ブロック試料
【図１】
2008026097.tif 000003
【図２】
2008026097.tif 000004
【図３】
2008026097.tif 000005
【図４】
2008026097.tif 000006
【図５】
2008026097.tif 000007
【図６】
2008026097.tif 000008
【図７】
2008026097.tif 000009
【図８】
2008026097.tif 000010
【図９】
2008026097.tif 000011
【図１０】
2008026097.tif 000012
【図１１】
2008026097.tif 000013
【図１２】
2008026097.tif 000014
【図１３】
2008026097.tif 000015
【図１４】
2008026097.tif 000016
【図１５】
2008026097.tif 000017
【図１６】
2008026097.tif 000018
【図１７】
2008026097.tif 000019
【図１８】
2008026097.tif 000020
【図１９】
2008026097.tif 000021
【図２０】
2008026097.tif 000022
【図２１】
2008026097.tif 000023
【図２２】
2008026097.tif 000024
【図２３】
2008026097.tif 000025
【図２４】
2008026097.tif 000026
【図２５】
2008026097.tif 000027
【図２６】
2008026097.tif 000028
【図２７】
2008026097.tif 000029
【図２８】
2008026097.tif 000030
【図２９】
2008026097.tif 000031
【図３０】
2008026097.tif 000032
【図３１】
2008026097.tif 000033
【図３２】
2008026097.tif 000034
【図３３】
2008026097.tif 000035
【図３４】
2008026097.tif 000036
【図３５】
2008026097.tif 000037
【図３６】
2008026097.tif 000038
【図３７】
2008026097.tif 000039
【図３８】
2008026097.tif 000040
【図３９】
2008026097.tif 000041
【図４０】
2008026097.tif 000042
【図４１】
2008026097.tif 000043
【図４２】
2008026097.tif 000044
【図４３】
2008026097.tif 000045
【図４４】
2008026097.tif 000046
【図４５】
2008026097.tif 000047
【図４６】
2008026097.tif 000048
【図４７】
2008026097.tif 000049
【図４８】
2008026097.tif 000050
【図４９】
2008026097.tif 000051
【図５０】
2008026097.tif 000052
【図５１】
2008026097.tif 000053
【図５２】
2008026097.tif 000054
【図５３】
2008026097.tif 000055
【図５４】
2008026097.tif 000056
【図５５】
2008026097.tif 000057
【図５６】
2008026097.tif 000058
【図５７】
2008026097.tif 000059
【図５８】
2008026097.tif 000060
【図５９】
2008026097.tif 000061
【図６０】
2008026097.tif 000062
【図６１】
2008026097.tif 000063
【図６２】
2008026097.tif 000064
【図６３】
2008026097.tif 000065